(57)【要約】      （修正有）【課題】  回路動作周波数（クロック周波数）を上げることなく、より多くの出力を十分なサンプリング周期で検出できる電源装置システム、画像形成装置を提供する。【解決手段】  複数の電源装置における出力を検出する複数の出力検出手段と、タイミング信号生成手段で生成したタイミング信号に応じて前記複数の出力検出手段からの検出出力を選択する順序を決定する順序決定手段と、前記複数の出力検出手段の検出出力から所要の検出出力を選択する検出出力選択手段と、前記検出出力選択手段で選択した検出出力と目標値設定手段で設定した目標値との差分を演算する差分演算手段と、差分の評価値を演算する差分評価値演算手段と、前記評価値演算手段で演算した評価値にもとづいて前記複数の電源装置を制御する制御手段と、を備え、前記順序決定手段は,前記検出出力選択手段により選択される対象に応じて、サンプリング周期を異ならせる。【選択図】        図１
2006301069.tif 000002
【特許請求の範囲】
【請求項１】
複数の電源装置と、
前記複数の電源装置における出力を検出する複数の出力検出手段と、
前記複数の出力検出手段の検出出力をサンプリングするタイミングを決めるタイミング信号を生成するタイミング信号生成手段と、
前記タイミング信号生成手段で生成したタイミング信号に応じて前記複数の出力検出手段からの検出出力を選択する順序を決定する順序決定手段と、
前記順序決定手段の出力にもとづいて、前記複数の出力検出手段の検出出力から所要の検出出力を選択する検出出力選択手段と、
前記検出出力選択手段により選択された検出出力をデジタル値に変換するＡ／Ｄ変換手段と、
前記複数の電源装置の出力の目標値をデジタル信号で設定する目標値設定手段と、
前記Ａ／Ｄ変換手段からの出力と前記目標値設定手段で設定した目標値との差分を演算する差分演算手段と、
前記差分演算手段で演算した差分を用いて差分の評価値を演算する差分評価値演算手段と、
前記評価値演算手段で演算した評価値にもとづいて前記複数の電源装置を制御する制御手段と、
を備え、前記順序決定手段は、前記検出出力選択手段により選択される対象に応じてサンプリング周期を異ならせることを特徴とする電源装置システム。
【請求項２】
請求項１に記載の電源装置システムにおいて、
前記順序決定手段は、記憶手段に予め書き込まれた選択順序により順序を決定することを特徴とする電源装置システム。
【請求項３】
請求項１または２に記載の電源装置システムにおいて、
前記検出出力選択手段として、マルチプレクサを用い、該マルチプレクサの複数の入力端に同一の検出出力を供給することを特徴とする電源装置システム。
【請求項４】
請求項１ないし３のいずれかに記載の電源装置システムにおいて、
前記検出出力選択手段として、マルチプレクサを用い、該マルチプレクサの複数の入力端に同一の検出出力を供給することを特徴とする電源装置システム。
【請求項５】
請求項４に記載の画像形成装置において、
前記順序決定手段は、現像ＤＣ、帯電ＤＣの検出周期が現像ＡＣ、帯電ＡＣの検出周期より短くなるように、検出出力を選択する順序を決定することを特徴とする画像形成装置。
【発明の詳細な説明】
【技術分野】
【０００１】
本発明は、電子写真方式を用いた複写機、プリンタ等の画像形成装置に好適な電源装置システムに関し、特にその電源装置システムにおける電源出力のサンプリングに関するものである。
【背景技術】
【０００２】
近年のデジタル技術、半導体集積回路技術の急速な進歩により、複写機、プリンタにおけるスイッチング電源の制御をデジタル化し制御用チップを作り電源装置内に実装する事が行われている（特許文献１参照）。
【０００３】
図４、５、６（実施の形態１の説明用の図であるが、背景技術の説明に援用する）を用いてその概略を説明する。
【０００４】
ここでは高圧Ａという一つの高圧出力のみに着目して説明する。
１は画像形成プロセス形成のための高圧発生手段であり、高圧出力はＡとして、例えば画像形成プロセス要素の現像スリーブに給電されている。
【０００５】
各部品要素の接続、及び一連の動作について説明する。
【０００６】
（１）直流高圧発生装置
図４において、トランスＴ１の１次側入力にはＢ電圧として所定の電圧が入力されており、トランスＴ１の他端はスイッチング素子Ｑ４に接続されている。スイッチング素子Ｑ４のゲートには、後述する直流高圧制御装置内のデジタルＰＷＭ信号生成装置２−２からパルス信号（ＰＷＭ信号）が入力される。スイッチング素子Ｑ４は該ＰＷＭ信号に応じてスイッチング動作を行うことで、トランスＴ１の２次側に巻き数比と前記ＰＷＭ信号に応じたパルス出力を得る。そのパルス出力をダイオード３０１とコンデンサ２０１で整流、平滑化し、ダイオード３０１のカソード側に直流高圧出力を発生させる。Ｔ１，Ｑ４，Ｄ３０１，Ｃ２０１は、一般にフライバック型（またはオン／オフ型）・コンバータと呼ばれ、スイッチング素子Ｑ４のスイッチング動作におけるのオン時間比率が大きいほど、高い電圧を出力するものである。
【０００７】
直流高圧出力端には抵抗Ｒ１０１と抵抗Ｒ１０２が接続されるとともに、前記各抵抗の抵抗分割により降圧された電圧、すなわち高圧出力の検出信号が出力される。
【０００８】
（２）直流高圧制御装置
前記高圧発生装置１内の抵抗Ｒ１０１，Ｒ１０２により得られた高圧出力検出信号は、ＡＤコンバータ２−３に入力されサンプリング、ホールド、アナログ／デジタル変換（ＡＤ変換）される。サンプリングに際しては、サンプリング周波数に応じた適切なローパスフィルタを通してから行うこととする。
【０００９】
デジタルデータに変換された検出信号は、比較装置２−１の一方に入力される。前記比較装置２−１のもう一方には直流高圧目標値が入力され、検出された出力値と設定された目標値の差分ΔＶは、デジタルＰＷＭ部２−２に入力されそこで、様々な演算処理が行われＰＷＭ信号が生成される。
【００１０】
デジタルＰＷＭ部２−２においては、まず差分評価値Ｚを演算する。差分評価値Ｚとしてここでは、以下の値を用いる。
Ｚ＝Ｆ１＊ΔＶ（ｋ）………（１）式
ここで、ΔＶ（ｋ）：時刻ｋにおける検出された出力値と設定された目標値との差、Ｆ１：定数
前記Ｚの値に応じて、パルス幅の変動時間分（Δｔとする）を決定する。例えば、Δｔ＝Ｚ＝０１００１１０（２進）＝３８（１０進）として、
スイッチング素子Ｑ４駆動信号であるＰＷＭ信号のＯＮパルス幅を３８パルス増加させる。高圧制御回路のクロックとして２０ＭＨｚを用いたとすると、クロック３８パルス分は１．９μＳでありスイッチング素子Ｑ４のＯＮ時間幅をΔｔ＝１．９μＳ増加させる。
【００１１】
デジタルＰＷＭ部２−２では、スイッチング素子Ｑ４の現在のＯＮ時間Ｔ（ｋ）にΔｔを加えて
Ｔ（Ｋ＋１）＝Ｔ（Ｋ）＋Δｔ  を新しくスイッチング素子Ｑ４のＯＮ時間とする。
【００１２】
以上の動作を繰り返すことにより、高圧出力Ａは、目標値に応じた所定の値に制御される。
【００１３】
さらに最近では電子写真装置は、さらなる高画質化のためにより複雑な高電圧制御を行うようになっている。例えば、静電潜像にトナーをのせるための現像バイアス高電圧においては、直流高電圧（以後ＤＣ成分と呼ぶ）に所望の交流高電圧（以後ＡＣ成分と呼ぶ）を重畳させることで、トナーの挙動を制御する等の例がある。図５、６にその構成例を記す。電子写真方式の画像形成装置では、静電潜像を担持した像担持体に、現像器の現像剤を担持した現像スリーブ（現像剤担持体）を対応させて現像を行うことが一般的であり、像担持体と現像スリーブの間には現像電界を形成するために、現像スリーブに現像バイアスが印加される。
【００１４】
この現像バイアスとしては、ＤＣ成分にＡＣ成分を重畳したものが用いられてきており、ＡＣ成分としての矩形波は、従来、周波数２ｋＨｚ（１／２周期＝２５０μ秒）程度、ピークツウピーク電圧（Ｖｐｐ）２ｋＶ程度が用いられ、ＤＣ成分としては３００〜８００程度の高電圧が用いられ、良好な現像像が得られていた。
【００１５】
また、静電潜像を形成する感光ドラムを均一に帯電させるための帯電ローラ、帯電器等に印加する帯電バイアス高電圧においては、直流高電圧に所望の交流高電圧を重畳させることで、ドラム電位分布の均一化を実現する等の例がある。この場合に用いられるＡＣ成分としては周波数５００Ｈｚ〜２ＫＨｚ程度でピークツウピーク電圧（Ｖｐｐ）１ｋＶ程度の正弦波が用いられ、ＤＣ成分としては３００〜１５００Ｖ程度の高電圧が用いられている。
【特許文献１】特開平０９−１９７９１６号公報
【発明の開示】
【発明が解決しようとする課題】
【００１６】
前述のように、複雑な高電圧を用いるようになったために、高圧制御回路はより多くの出力を検出する必要が生じた。従来はマルチプレクサ等を用いて時分割で各高電圧出力を検知していたが、従来なみのサンプリング周期を確保するためには、制御回路の数を増やすか、動作周波数を早くする必要がある。しかし、いずれもコストアップになってしまう。一般に高速で安定な制御を行うためには、十分短いサンプリング周期が必要である。言い換えるとサンプリング周期以上に早く安定な応答を得ることはできない。
【００１７】
電子写真装置で用いられる高圧出力においては、その出力電圧精度が画質に与える影響は一様ではない。たとえば、帯電出力のＤＣ成分、現像バイアス出力のＤＣ成分の画像に対する感度は非常に高く、次いで転写出力、帯電出力のＡＣ成分、現像バイアス出力のＡＣ成分などであり、その他定着装置へのトナー移りや異常帯電を防止するための定着バイアス高圧などそこそこの精度で十分なものも存在する。
【００１８】
本発明は、このような状況のもとでなされたもので、回路動作周波数（クロック周波数）を上げることなく、より多くの出力を十分なサンプリング周期で検出できる電源装置システム、画像形成装置を提供することを課題とするものである。
【課題を解決するための手段】
【００１９】
前記課題を解決するため、本発明では、電源装置システムを次の（１）のとおりに構成する。
【００２０】
（１）複数の電源装置と、前記複数の電源装置における出力を検出する複数の出力検出手段と、前記複数の出力検出手段の検出出力をサンプリングするタイミングを決めるタイミング信号を生成するタイミング信号生成手段と、前記タイミング信号生成手段で生成したタイミング信号に応じて前記複数の出力検出手段からの検出出力を選択する順序を決定する順序決定手段と、前記順序決定手段の出力にもとづいて、前記複数の出力検出手段の検出出力から所要の検出出力を選択する検出出力選択手段と、前記検出出力選択手段により選択された検出出力をデジタル値に変換するＡ／Ｄ変換手段と、前記複数の電源装置の出力の目標値をデジタル信号で設定する目標値設定手段と、前記Ａ／Ｄ変換手段からの出力と前記目標値設定手段で設定した目標値との差分を演算する差分演算手段と、前記差分演算手段で演算した差分を用いて差分の評価値を演算する差分評価値演算手段と、前記評価値演算手段で演算した評価値にもとづいて前記複数の電源装置を制御する制御手段とを備えた電源装置システム。
【発明の効果】
【００２１】
本発明によれば、回路動作周波数（クロック周波数）を上げることなく、より多くの出力を十分なサンプリング周期で検出できるようになる。
【発明を実施するための最良の形態】
【００２２】
以下本発明を実施するための最良の形態を、実施の形態の例により詳しく説明する。
【００２３】
［実施の形態１］
図１は、実施の形態１である、画像形成プロセス形成のための“高圧電源装置システム”の要部構成を示す図である。図２は図１中のサンプリング装置１１の構成例であり、図３は、図１の演算装置１６内部構成を示すのブロック図である。図４，５，は直流高圧発生装置および交流高圧発生装置の構成を詳述した図である。図７，図９は、検出出力選択信号による選択パターンをあらわす表である。
【００２４】
まず各部品について説明する。図４にて、Ｔ１は１次側に入力された電圧を１次−２次間の巻き数比とＰＷＭ信号のオン／オフ時間比率に応じて昇圧変換して２次側に所定の電圧を出力するインバータトランス、Ｑ４はインバータトランスＴ１を駆動するスイッチング素子である。
【００２５】
図５にて、Ｔ２は１次側に入力された電圧を１次−２次間の巻き数比に応じて昇圧変換して２次側に所定の電圧を出力する交流高圧発生トランス、Ｑ３−１，Ｑ３−２は交流高圧発生トランスＴ２を駆動するスイッチング素子である。
【００２６】
図１にて、１１は高圧発生装置の出力電圧の検出信号を取り込むサンプリング回路、１２はアナログ信号をデジタル信号に変換するＡ／Ｄ変換器、１３は不図示の高圧シーケンス制御装置からの信号により高圧発生装置の出力の目標値を設定する装置、１４は前記Ａ／Ｄ変換器１２の出力と目標値設定装置１３の出力の差分を演算する装置、１５は差分演算装置１４の出力を保持する装置、１６は保持装置１５の値を用いて目標値と検出された出力値との差分評価値Ｚを演算する装置。２０ないし２２は出力制御回路であり、ＰＷＭ信号生成装置または振幅制御信号生成装置より構成される。例えば直流高圧の制御においては、パルス幅の変動分ΔＴを決定し、スイッチング素子Ｑ４をオンさせる時間Ｔ＝Ｔ＋ΔＴを出力する。多出力の制御を行うために、時分割装置を用いて、複数出力の検出／ＰＷＭ信号の発生を行う。
【００２７】
次に、各部品要素の接続、及び一連の動作について説明する。
【００２８】
＜直流高圧発生装置＞
図４において、トランスＴ１の１次側入力にはＢ電圧として所定の電圧が入力されており、トランスＴ１の他端はスイッチング素子Ｑ４に接続されている。スイッチング素子Ｑ４のゲートには、後述する高圧制御装置内のＰＷＭ信号生成装置２１からパルス信号（ＰＷＭ信号）が入力され、スイッチング素子Ｑ４は、該ＰＷＭ信号に応じてスイッチング動作を行うことで、トランスＴ１の２次側に巻き数比と前記ＰＷＭ信号に応じたパルス出力を得る。そのパルス出力をダイオード３０１とコンデンサＣ２０１で整流、平滑化しダイオードＤ３０１のカソード側に直流高圧出力を発生させる。Ｔ１，Ｑ４，Ｄ３０１，Ｃ２０１は、一般にフライバック型（またはオン／オフ型）・コンバータと呼ばれ、スイッチング素子Ｑ４のスイッチング動作におけるのオン時間比率が大きいほど、高い電圧を出力するものである。
【００２９】
直流高圧出力には抵抗Ｒ１０１と抵抗Ｒ１０２が接続されるとともに、前記各抵抗の抵抗分割により降圧された電圧、すなわち高圧出力の検出信号が出力される。
【００３０】
＜交流高圧発生装置＞
図５において、トランスＴ２の１次側巻き線には、中間タップを設けてあり、振幅制御トランジスタＱ３−３を通して、電源電圧Ｖｃｃに接続されている。トランスＴ２一次巻き線の両端はスイッチング素子Ｑ３−１、Ｑ３−２に接続されている。スイッチング素子Ｑ３−１、Ｑ３−２のゲートには駆動信号発生装置３−６に接続される。前記駆動信号発生装置３−６では、入力された駆動信号に応じて、２個の互いに逆極性の矩形波信号を発生させる。また、必要に応じてスイッチング素子Ｑ３−１、Ｑ３−２の両方の素子がオフする“デットタイム”を設けることもある。
【００３１】
トランスＴ２の二次側には、一次／二次巻き線の巻き数比と、スイッチング素子Ｑ３−３出力電圧に応じたピーク電圧、且つスイッチング素子Ｑ３−１、Ｑ３−２のオン／オフ時間に応じたパルス幅の矩形波が出力される。トランスＴ２の二次巻き線の一方は、前記直流高圧発生装置の出力である直流高圧ＶＨｄｃに接続され、他方は、画像形成プロセス要素の現像スリーブに給電される。
【００３２】
Ｔ２、Ｑ３−１、Ｑ３−２は、一般にプッシュプル型インバータと呼ばれる構成である。
【００３３】
前述のように、（直流高圧＋交流高圧）よりなる高圧出力は、Ｃ３０１により直流分をカットされ、抵抗Ｒ３０１，Ｒ３０２により交流分を分圧し、振幅検出装置３−５により全波整流される。前記全波整流された信号は、交流振幅検出信号として高圧制御装置に向かって出力される。
【００３４】
＜高圧制御装置＞
図１において、前記直流高圧発生装置１内の抵抗Ｒ１０１，Ｒ１０２により得られた直流高圧出力検出信号は、サンプリング装置１１に入力される。サンプリングに際しては、サンプリング周波数に応じた適切なローパスフィルタを通してから行うこととする。多出力を制御する場合にはサンプリング装置としてマルチプレクサ等を用いて各出力の検出信号を順次サンプリングする。
【００３５】
サンプリングされた高圧出力検出信号は、Ａ／Ｄ変換器１２に入力されデジタルデータに変換され差分演算装置１４の入力端子の一方に入力される。
【００３６】
高圧ユニットを制御する不図示のシーケンス制御ユニットは、直流高圧出力の出力設定値（目標値）に対応したデジタルデータを出力しており、該目標値は目標値設定装置１３を通して、前記差分演算装置１４のもう一方の入力端子に入力される。差分演算装置１４は検出された出力値と設定された目標値の差分ΔＶを演算して保持装置１５に一時的に保持する。
【００３７】
保持された差分を用いて演算装置１６は、差分評価値Ｚを演算する。差分評価値Ｚとしてここでは、以下の値を用いる。
Ｚ＝Ｆ１＊ΔＶ（ｋ）＋Ｆ２＊｛ΔＶ（ｋ）−ΔＶ（ｋ−１）｝……（２）式
ここで、ΔＶ（ｋ）：時刻ｋにおける検出された出力値と設定された目標値との差、ΔＶ（ｋ−１）：時刻ｋより１回過去のサンプリング時刻ｋ−１において検出された出力値と設定された目標値との差
Ｆ１，Ｆ２：定数
前記（２）式において、前半部分：Ｆ１＊ΔＶ（ｋ）は、現在の差分を評価した値であり、後半部分：Ｆ２＊｛ΔＶ（ｋ）−ΔＶ（ｋ−１）｝は、差分が増えているのか、減っているのかという差分の変動を評価した値である。
【００３８】
ＰＷＭ信号生成装置２１では、前記Ｚの値に応じて、パルス幅の変動時間分（Δｔとする）を決定する。例えば、Δｔ＝２＊Ｚ＝２＊３８（Ｄ）として、Ｑ４駆動信号であるＰＷＭ信号のＯＮパルス幅を７６パルス増加させる。高圧制御回路のクロックとして２０ＭＨｚを用いたとすると、クロック７６パルス分は３．８μＳでありＱ４のＯＮ時間幅をΔｔ＝３．８μＳ増加させる。
【００３９】
ＰＷＭ信号生成装置２１では、前記Δｔを用いて、現在のスイッチング素子Ｑ４のＯＮ時間Ｔ（ｋ）にΔｔを加えてＴ（Ｋ＋１）＝Ｔ（Ｋ）＋Δｔを新しくスイッチング素子Ｑ４のＯＮ時間とする。
このようにして、直流高圧出力を制御する。
【００４０】
前記交流高圧発生装置より得られた交流検出信号は、サンプリング装置１１に入力される。サンプリングに際しては、サンプリング周波数に応じた適切なローパスフィルタを通してから行うこととする。多出力を制御する場合にはサンプリング装置としてマルチプレクサ等を用いて各出力の検出信号を順次サンプリングする。
【００４１】
サンプリングされた高圧出力検出信号は、Ａ／Ｄ変換器１２に入力されデジタルデータに変換され差分演算装置１４の入力端子の一方に入力される。
【００４２】
高圧ユニットを制御する不図示のシーケンス制御ユニットは、交流高圧出力の振幅出力設定値（目標値）に対応したデジタルデータを出力しており、該目標値は目標値設定装置１３を通して、前記差分演算装置１４のもう一方の入力端子に入力される。差分演算装置１４は検出された出力値と設定された目標値の差分ΔＶを演算して保持装置１５に一時的に保持する。
【００４３】
保持された差分を用いて演算装置１６は、差分評価値Ｚを演算する。差分評価値Ｚとしてここでは、以下の値を用いる。
Ｚ＝Ｆ１＊ΔＶ（ｋ）＋Ｆ２＊｛ΔＶ（ｋ）−ΔＶ（ｋ−１）｝……（２）式
ここで、ΔＶ（ｋ）：時刻ｋにおける検出された出力値と設定された目標値との差、ΔＶ（ｋ−１）：時刻ｋより１回過去のサンプリング時刻ｋ−１において検出された出力値と設定された目標値との差、Ｆ１，Ｆ２：定数
（２）式において、前半部分：Ｆ１＊ΔＶ（ｋ）は、現在の差分を評価した値であり、後半部分：Ｆ２＊｛ΔＶ（ｋ）−ΔＶ（ｋ−１）｝は、差分が増えているのか、減っているのかという差分の変動を評価した値である。
【００４４】
ここまでは、直流高圧の制御と同一であり、制御回路においても同一ブロックを時分割にて利用する。
【００４５】
振幅制御信号生成装置２０では、前記Ｚの値に応じて、振幅制御信号の電圧変動分（Δｖとする）を決定する。例えば、Δｖ＝１０＊Ｚ＝１＊３８０（Ｄ）として、振幅制御信号の電圧を３８０ｍＶ増加させる。
【００４６】
振幅制御信号生成装置２０では、前記Δｖを用いて、現在の振幅制御信号Ｖ（ｋ）にΔｖを加えてＶ（Ｋ＋１）＝Ｖ（Ｋ）＋Δｖを新しく振幅制御信号とする。
このようにして、交流高圧出力の振幅値を制御する。
【００４７】
次に、前述の高圧出力が複数ある場合のサンプリング装置１１の動作について図２、７、８を用いて説明する。
【００４８】
サンプリング装置１１は、マルチプレクサ１１−１、メモリ読みだし装置１１−２、マルチプレクサ選択信号パターンメモリ１１−３、サンプリングクロック発生器１１−４より構成されている。
【００４９】
マルチプレクサ選択信号パターンメモリ１１−３には、図７に記す検出出力選択信号パターンが記憶されている。この検出出力選択信号パターンを、サンプリングクロック発生器１１−４のクロック信号に同期して、メモリ読みだし装置１１−２により順次読み出し、マルチプレクサ１１−１のＳＥＬ．０〜ＳＥＬ．２に入力することで、マルチプレクサ１１−１にて選択される信号の順序を決定している。図７の例では、ＣＨ．０〜１〜２〜３〜０〜１〜４〜５〜０〜１〜２〜３〜０〜１〜６〜７の順序で選択される。
【００５０】
この場合、ＣＨ．０、ＣＨ．１は、サンプリングクロック１１−４の４回に１回の周期で選択される。
【００５１】
ＣＨ．２、ＣＨ．３は、サンプリングクロック１１−４の８回に１回の周期で選択される。
【００５２】
ＣＨ．４、ＣＨ．５、ＣＨ．６、ＣＨ．７は、サンプリングクロック１１−４の１６回に１回の周期で選択される。
【００５３】
したがって、図８に示すように、画質に対する影響の大きい高圧出力の検出周期をより短くするために、ＣＨ．０、ＣＨ．１に現像ＤＣ、帯電ＤＣを割り当てる。比較的画質に対する感度の低い現像ＡＣ、帯電ＡＣ出力をＣＨ．４、ＣＨ．６に割り当てる。
【００５４】
このような検出出力選択信号パターン例は他にもたくさん考えられるが、もう１例を図９に記す。
【００５５】
図９の例では、ＣＨ．０、ＣＨ．１、ＣＨ．２、ＣＨ．３は、サンプリングクロック１１−４の５回に１回の周期で選択される。
【００５６】
ＣＨ．４、ＣＨ．５、ＣＨ．６、ＣＨ．７は、サンプリングクロック１１−４の２０回に１回の周期で選択される。
【００５７】
以上説明したように、本実施の形態によれば、図８に示すように、画質に対する影響の大きい高圧出力の検出周期を短くし、画質に対する影響の小さい高圧出力の検出周期は長くする。これにより、回路動作周波数（クロック周波数）を上げることなく、より多くの高電圧出力を十分なサンプリング周期で検出できるようになる
［実施の形態２］
図１０に実施の形態２である、画像形成プロセス形成のための“高圧電源装置システム”の要部構成を示す図である。
８チャンネルマルチプレクサを用いて、６個の出力を切り替えて検出する例である。
【００５８】
マルチプレクサの０，４チャンネルに現像ＤＣ検出信号を接続し、１，５チャンネルに帯電ＤＣ検出出力を接続する。本実施の形態は、検出出力選択信号生成装置をカウンタとした構成である。
【００５９】
このようにすることで、現像ＤＣ出力、帯電ＤＣ出力のサンプリング周期は他の出力の２倍にすることができる。
【図面の簡単な説明】
【００６０】
【図１】実施の形態１の概略構成を示すブロック図
【図２】実施の形態１におけるサンプリング装置の構成を示すブロック図
【図３】実施の形態１における演算装置の内部構成を示す図
【図４】実施の形態１における直流高圧発生装置の構成を示す図
【図５】実施の形態１における交流高圧発生装置の構成を示す図
【図６】実施の形態１における直流，交流高圧発生装置およびその制御装置の構成を示すブロック図
【図７】実施の形態１における検出出力選択パターン例１を示す図
【図８】実施の形態１における検出出力割り当て例を示す図
【図９】実施の形態１における検出出力選択パターン例２を示す図
【図１０】実施の形態２におけるサンプリング装置の構成を示すブロック図
【符号の説明】
【００６１】
１    高圧直流発生装置
２    高圧制御装置
３    高圧交流発生装置
１１  サンプリング装置
１３  目標値設定装置
１４  差分演算装置
１６  演算装置
【図１】
2006301069.tif 000003
【図２】
2006301069.tif 000004
【図３】
2006301069.tif 000005
【図４】
2006301069.tif 000006
【図５】
2006301069.tif 000007
【図６】
2006301069.tif 000008
【図７】
2006301069.tif 000009
【図８】
2006301069.tif 000010
【図９】
2006301069.tif 000011
【図１０】
2006301069.tif 000012